(57)【要約】【課題】血液回路から留置針を取り外すことなく閉回路とすることができ、また、残留液に触れないで作業し易い汎用性のある留置針コネクタを提供する。【解決手段】一方の留置針２を差し込む第１の差込口具２０ａと、他方の留置針を差し込む第２の差込口具２０ｂと、前記第１及び第２の差込口具の各々に差し込まれた留置針の流路を連通させる連通部材２１とを備えた留置針コネクタ１において、前記差込口具は、留置針が挿通される針挿通孔２３を有する針挿通部材２４と、前記留置針が差し込まれる差込口２５を有するとともに前記針挿通部材を収納する外装部材２８とで構成され、前記針挿通部材は弾性材で形成され、前記針挿通孔を有し、この針挿通孔内に挿入された留置針の針部３１を弾性収縮力によって保持する筒状部３２と、該筒状部の外側に形成された空隙部３３とを備えている。【選択図】図２
2009089841.tif 000002
【特許請求の範囲】
【請求項１】
一方の留置針を差し込む第１の差込口具と、他方の留置針を差し込む第２の差込口具と、前記第１及び第２の差込口具の各々に差し込まれた留置針の流路を連通させる連通部材とを備えた留置針コネクタにおいて、
前記差込口具は、留置針が挿通される針挿通孔を有する針挿通部材と、前記留置針が差し込まれる差込口を有するとともに前記針挿通部材を収納する外装部材とで構成され、
前記針挿通部材は弾性材で形成され、前記針挿通孔を有し、この針挿通孔内に挿入された留置針の針部を弾性収縮力によって保持する筒状部と、該筒状部の外側に形成された空隙部とを備えていることを特徴とする留置針コネクタ。
【請求項２】
前記外装部材には、前記差込口と前記針挿通部材との間に液溜まり空部が形成されていることを特徴とする請求項１に記載の留置針コネクタ。
【請求項３】
前記第１の差込口具と第２の差込口具とを、各入口を同じ方向に向けた状態で一体化したことを特徴とする請求項１または請求項２に記載の留置針コネクタ。
【請求項４】
第１の差込口と第２の差込口を同じ方向に向けた状態で外装部材を一体成型すると共に、一方の留置針を挿通する針挿通部材と他方の留置針を挿通する針挿通部材を一体化し、
差込口具は、前記一体成型した針挿通部材を収納する収納空部を外装部材に備え、
連通部材は、針挿通部材の一方の針挿通孔を挿通して突出した一方の留置針の針部を収納する第１針収納空部と、他方の針挿通孔を挿通して突出した他方の留置針の針部を収納する第２針収納空部と、第１針収納空部と第２針収納空部とを連通する連通空部とを内部に有することを特徴とする請求項３に記載の留置針コネクタ。
【発明の詳細な説明】
【技術分野】
【０００１】
本発明は、人工透析治療などの血液浄化治療で使用する血液回路の動脈側の留置針と静脈側の留置針を連通させて保持する留置針コネクタに関する。
【背景技術】
【０００２】
人工透析治療に使用される血液回路と血液浄化器は、透析装置本体に対して交換自在とされ、透析治療ごとに新しいものが使用される。この新しい血液回路と血液浄化器には、予め生理食塩水を流動させてクリーニング（プライミング）を行い、その後に透析治療を行う。そして、透析治療を行った後に血液回路と血液浄化器に残った血液は、当該血液回路及び血液浄化器内に生理食塩水を送り込むことにより患者の体内に戻されていた（以下、返血という）。
【０００３】
ところが、生理食塩水による返血は、返血終了時に血液回路と血液浄化器内に生理食塩水が残留した状態となるので、廃棄物の軽量化、安全性確保のために残留液を排出する必要がある。
残留液を排出する場合に、バケツ等の容器に排出したので衛生上好ましくないことに鑑みて透析装置本体へ排出する方法が提案されている（特許文献１）。そして、透析装置本体に排出する場合、この排出作業においては、血液回路の動脈側と静脈側とを直接繋いで閉回路とすることが必要である。
【特許文献１】特開２００３−２６５６００号公報
【発明の開示】
【発明が解決しようとする課題】
【０００４】
ところが、血液回路を閉回路とするために、患者から抜針した動脈側留置針と静脈側留置針を各回路から取り外して接続具を用いて接続した状態で排出作業を行うことになるが、留置針を取り外す際に、患者の血液を含む残留液に触れてしまう恐れがある。また、接続具は、プライミングに使用するものであるが透析治療中は使用しないので、治療終了まで確実に保管しておかねばならず、紛失すると排出作業ができなくなってしまう。さらに、軟質塩ビ系チューブやシリコンチューブ等からなる接続手段を使用し、抜針した留置針を血液回路に接続したまま前記接続手段の両端開口部内に挿入することも提案されているが、これは、留置針をカテーテルハブ（コネクタ）ごとに挿入する構成を採っているので、カテーテルハブの形状や大きさがメーカーごとに異なる現状においては汎用性に欠け、実用に供し得ない。
【０００５】
また、余分な血液回路を切断して使用することも考えられるが、切断作業が煩雑であり、また、患者の血液を含む残留液が飛散したり、これに触れてしまう恐れがある。
【０００６】
そこで、本発明は、上記した点に鑑み提案されたものであり、その目的は、血液回路から留置針を取り外すことなく閉回路とすることができ、また、残留液に触れないで作業し易く、汎用性のある留置針コネクタを提供しようとするものである。
【課題を解決するための手段】
【０００７】
前記した目的を達成するために、請求項１に記載のものは、一方の留置針を差し込む第１の差込口具と、他方の留置針を差し込む第２の差込口具と、前記第１及び第２の差込口具の各々に差し込まれた留置針の流路を連通させる連通部材とを備えた留置針コネクタにおいて、
前記差込口具は、留置針が挿通される針挿通孔を有する針挿通部材と、前記留置針が差し込まれる差込口を有するとともに前記針挿通部材を収納する外装部材とで構成され、
前記針挿通部材は弾性材で形成され、前記針挿通孔を有し、この針挿通孔内に挿入された留置針の針部を弾性収縮力によって保持する筒状部と、該筒状部の外側に形成された空隙部とを備えていることを特徴とする留置針コネクタである。
【０００８】
請求項２に記載のものは、前記外装部材に、前記差込口と前記針挿通部材との間に液溜まり空部が形成されていることを特徴とする請求項１に記載の留置針コネクタである。
【０００９】
請求項３に記載のものは、前記第１の差込口具と第２の差込口具とを、各入口を同じ方向に向けた状態で一体化したことを特徴とする請求項１または請求項２に記載の留置針コネクタである。
【００１０】
請求項４に記載のものは、第１の差込口と第２の差込口を同じ方向に向けた状態で外装部材を一体成型すると共に、一方の留置針を挿通する針挿通部材と他方の留置針を挿通する針挿通部材を一体化し、
差込口具は、前記一体成型した針挿通部材を収納する収納空部を外装部材に備え、
連通部材は、針挿通部材の一方の針挿通孔を挿通して突出した一方の留置針の針部を収納する第１針収納空部と、他方の針挿通孔を挿通して突出した他方の留置針の針部を収納する第２針収納空部と、第１針収納空部と第２針収納空部とを連通する連通空部とを内部に有することを特徴とする請求項３に記載の留置針コネクタである。
【発明の効果】
【００１１】
本発明によれば、一方の留置針を差し込む第１の差込口具と、他方の留置針を差し込む第２の差込口具と、前記第１及び第２の差込口具の各々に差し込まれた留置針の流路を連通させる連通部材とを備えた留置針コネクタにおいて、前記差込口具は、留置針が挿通される針挿通孔を有する針挿通部材と、前記留置針が差し込まれる差込口を有するとともに前記針挿通部材を収納する外装部材とで構成され、前記針挿通部材は弾性材で形成され、前記針挿通孔を有し、この針挿通孔内に挿入された留置針の針部を弾性収縮力によって保持する筒状部と、該筒状部の外側に形成された空隙部とを備えているので、患者から抜針した留置針をそのまま差込口具の差込口に差し込み、これにより動脈側回路と静脈側回路とが留置針コネクタを介して連通し、血液回路が閉回路となる。これにより透析装置本体の排出機能を作動して、血液回路やダイアライザーの内部に残留していた液を、外部に不用意に漏出させることなく所定の場所に安全に排液できる。また、針挿通部材は、針挿通孔内に挿入された留置針の針部の外周面が筒状部の弾性収縮力で囲繞されて保持された状態で確実に固定されるので、外れにくく使い勝手に優れる。さらに、筒状部の外側に空隙部を形成したので、使用される留置針の針部の太さが多少変化しても筒状部の内径が適度に拡大することができ、留置針のメーカーの違いや形式、形状、サイズの違いなどに左右されることなく使用することができ、汎用性のある使い易い留置針コネクタを提供することができる。そして、汎用性があることから、在庫管理なども容易である。さらに、汎用性があるので、血液回路の変更や留置針の変更などが不要であって、従来の血液回路、留置針、血液浄化装置をそのまま使用できる。したがって、本願発明に係る留置針コネクタの導入に伴う煩雑な変更作業やコスト増大の煩わしさがない。
【００１２】
請求項２の発明によれば、前記外装部材には、前記差込口と前記針挿通部材との間に液溜まり空部が形成されているので、針挿通孔内に挿通した針部に付着していた血液が前記液溜まり空部に溜まって外部に出ることを防止できる。したがって、オペレーターが血液に触れてしまう不都合を回避できる。
【００１３】
請求項３の発明によれば、第１の差込口具と第２の差込口具とを、各入口を同じ方向に向けた状態で一体化したので、留置針を挿入する方向が同じになって挿入操作が容易である。
【００１４】
請求項４の発明によれば、第１の差込口と第２の差込口を同じ方向に向けた状態で外装部材を一体成型すると共に、一方の留置針を挿通する針挿通部材と他方の留置針を挿通する針挿通部材を一体化し、差込口具は、前記一体成型した針挿通部材を収納する収納空部を外装部材に備え、連通部材は、針挿通部材の一方の針挿通孔を挿通して突出した一方の留置針の針部を収納する第１針収納空部と、他方の針挿通孔を挿通して突出した他方の留置針の針部を収納する第２針収納空部と、第１針収納空部と第２針収納空部とを連通する連通空部とを内部に有するので、外装部材の大型化で持ち易くなり操作性に優れ、オペレーターがミスなく安全に使用することができる。また、部品点数の減少により製造の容易化、合理化を図ることができる。
【発明を実施するための最良の形態】
【００１５】
以下、本発明の実施の最良の形態を図面に基づいて説明する。
図１は留置針コネクタ１により動脈側の留置針と静脈側の留置針２を接続した状態における血液回路３の概略説明図であり、図２（ａ）は留置針コネクタ１の正面図、図２（ｂ）は留置針コネクタ１の要部の断面図、図２（ｃ）は留置針２を差し込んだ状態における留置針コネクタ１の断面図である。
【００１６】
まず、血液回路３について概略を説明すると、図１に示すように、動脈側回路３ａと静脈側回路３ｂとの大別することができる。動脈側回路３ａは、チューブ４の一端に患者の動脈に穿刺する留置針２ａが取り付けられ、他端を血液浄化器（ダイアライザー）６の血液導入ポート７に接続し、途中には、血液ポンプ８にセットする可撓性大径部４´を有し、この部分の下流側に動脈チャンバー９を備えている。一方、静脈側回路３ｂは、チューブ１１の一端に患者の静脈に穿刺する留置針２ｂが取り付けられ、他端を血液浄化器６の血液導出ポート１２に接続し、途中には、レベル調整チューブ１３を接続した静脈チャンバー１４を備えている。そして、血液浄化器６の透析液導入ポート１５と透析液導出ポート１６は、透析装置本体１７に接続し、透析治療中は、血液ポンプ８を作動して、患者の動脈から取り出した血液を動脈側回路３ａを介して血液浄化器６内に導入し、血液浄化器６中の透析膜を介して血液中の不要物を透析液中に移動させ、血液浄化器６で浄化された血液を静脈側回路３ｂを介して患者の静脈に戻す。透析治療が終了したならば、血液回路３中に生理食塩水を供給しながら返血を行い、これが終了したならば、患者から抜針した両留置針２を、本発明に係る留置針コネクタ１に差し込んで血液回路３を閉回路とし、レベル調整チューブ１３を大気開放し、透析装置本体１７の加圧ポンプ１８を作動し、これにより血液回路３中に残留した残留液を排液する。
【００１７】
留置針コネクタ１は、図２（ａ）に示すように、血液回路３の一方の留置針２ａを差し込む第１の差込口具２０ａと、他方の留置針２ｂを差し込む第２の差込口具２０ｂと、両差込口具２０の間を連通させる連通部材２１とを備えている。
【００１８】
前記した両差込口具２０は、いずれも同じ構成であり、図２（ｂ）に示すように、漏斗状入口２２を有する針挿通孔２３を開設した弾性材製の針挿通部材２４と、留置針２を先端部分から差し込む漏斗状差込口２５を有し、該差込口２５に連通する収納空部２６内に前記針挿通部材２４を収納し、収納した針挿通部材２４の入口２２と差込口２５との間に液溜まり空部２７を形成した外装部材２８と、からなる。
【００１９】
針挿通部材２４は、シリコンゴムなどの弾性材からなる略円筒形の部材であり、漏斗状入口２２を開設した一端にフランジ部３０を有し、中心に穿設した針挿通孔２３内に挿入された留置針２の針部３１の外周面を弾性収縮力で囲繞して保持する筒状部３２と、該筒状部３２の外側に肉厚の約半分の位置に円形断面状に欠截して形成した空隙部３３とを有し、針挿通孔２３の長さは針部３１の長さよりも短く設定して針部３１の先端が突出するようにしてある。なお、針挿通孔２３の径は、針部３１を弾性収縮力によって確実に保持できる寸法（例えば、直径約１ミリ前後）とする。そして、この針挿通部材２４を連通部材であるチューブ２１の一端開口内に挿入（嵌合）してフランジ部３０がチューブ開口縁に当接するまで十分に挿入し、この状態で外装部材２８の収納空部２６内に収納する。なお、チューブ２１は、軟質ＰＶＣなどの柔らかな材質で作製されることが望ましい。
【００２０】
外装部材２８は、硬質ＰＶＣなどにより成型した略円筒形のカバーであり、一端開口部分には留置針２のカテーテルハブ２′が入る形状と大きさに成形した漏斗状差込口２５を有し、この漏斗状差込口２５の小径部の奥に小径部よりも大きな径の液溜まり空部２７を形成し、この液溜まり空部２７の奥に段差を付けてフランジ部３０（すなわち、チューブ２１の外径）が嵌合する大きさの直径を有する円筒形の空部を収納空部２６として形成してある。
【００２１】
この様な構成からなる外装部材２８の収納空部２６内に、チューブ２１の端部開口に嵌合した針挿通部材２４を挿入し十分な深さまで押し込んで収納すると、針挿通部材２４のフランジ部３０が収納空部２６の内周面に形成された段差に当接し、これにより針挿通部材２４の漏斗状入口２２の手前、すなわち漏斗状差込口２５の奥であって漏斗状入口２２に到達する手前側に液溜まり空部２７が形成される。
【００２２】
この様にして、チューブ２１の一方の端部開口に嵌合した針挿通部材２４を外装部材２８の収納空部２６内に収納して一方の差込口具２０ａを組み立て、チューブ２１の他方の端部開口に嵌合した針挿通部材２４を他の外装部材２８の収納空部２６内に収納して他方の差込口具２０ｂを組み立てると、図２（ａ）に示すように、第１の差込口具２０ａと第２の差込口具２０ｂとがチューブ２１で接続された留置針コネクタ１が出来上がり、第１の差込口具２０ａに差し込んだ一方の留置針２ａの流路と第２の差込口具２０ｂに差し込んだ他方の留置針２ｂの流路とがチューブ２１を介して連通する。なお、針挿通部材２４とチューブ２１と外装部材２８との各接触部分及び嵌合部分は、液密状に接合されており、液漏れしない。
【００２３】
この留置針コネクタ１を使用する場合、図３に示すスタンド４０を使用すると、片手で容易に操作することができる。このスタンド４０は、ベッドサイド、透析装置、テーブル等の上に載置乃至固定する板状のベース部４１と、該ベース部４１の一辺から立設した起立部４２と、起立部４２に同じ方向に向けて設けた第１保持部４３ａ並びに第２保持部４３ｂとからなり、第１保持部４３ａには第１の差込口具２０ａを、第２保持部４３ｂには第２の差込口具２０ｂをそれぞれ保持できるように略Ｕ字状乃至略Ω字状の切欠を形成してある。そして、このスタンド４０の第１保持部４３ａに第１差込口具２０ａを、第２保持部４３ｂに第２差込口具２０ｂを同じ外側に向けて取り付けると、両差込口具２０を接続するチューブ２１がベース部４１上でＵ字状に湾曲され、この状態で使用する。
【００２４】
次に、使用手順について説明すると、患者から抜針した一方の留置針２ａをそのカテーテルハブ２′を指で摘んだ状態で先端の針部３１からそのまま第１の差込口具２０ａの漏斗状差込口２５に差し込み、充分な深さまで差し入れる。針部３１を差し込む時に差込口２５が手前に向けて漏斗状に拡径しているので、狙い易く容易に差し込むことができ、差込口２５に差し込まれた針部３１の先端は、漏斗状入口２２から針挿通孔２３内に挿入される。針部３１の先端が針挿通孔２３内に挿入される場合にも、入口２２が手前に向けて漏斗状に拡径しているので、針挿通孔２３内に確実に挿入される。そして、差し込み操作の抵抗が大きくなってカテーテルハブ２′の先端テーパー部が漏斗状差込口２５の内周面に当接すると、針部３１が針挿通孔２３内を挿通して、針挿通孔２３から突出した針部３１の先端部分の針開口４４がチューブ２１内に露出し、これにより当該第１留置針２ａの内部の流路と接続チューブ２１の内部流路とが連通する。また、針部３１を針挿通孔２３内を挿通する際に、針部３１の外周面に付着した血液などが払拭されて液溜まり空部２７内に捕捉され、外部に飛散することを防止できる。したがって、操作するオペレーターが血液に触れる不都合を未然に防止できる。
【００２５】
次に、患者から抜針した他方の留置針２ｂも、前記した一方の留置針２ａと同様に、そのまま第２の差込口具２０ｂの漏斗状差込口２５に差し込み、これにより第２留置針２ｂの内部の流路と接続チューブ２１の内部流路とが連通する。したがって、動脈側回路３ａと静脈側回路３ｂとが留置針コネクタ１を介して連通し、血液回路３が閉回路となる。そして、レベル調整チューブ１３を大気開放してから、透析装置本体１７の排液機能を作動させると加圧ポンプ１８が稼動して、血液回路３やダイアライザー６の内部に残留していた液を、外部に不用意に漏出させることなく所定の場所に安全に排液できる。また、針挿通部材２４は、針挿通孔２３内に挿入された留置針２の針部３１の外周面を筒状部３２の弾性収縮力で囲繞して固定するので、外れにくく使い勝手に優れる。さらに、筒状部３２の外側に空隙部３３を形成したので、針部３１の太さが多少変化しても筒状部３２の内径が適度に拡大することができ、確実に固定することができる。
【００２６】
次に、図４に示す留置針コネクタ１の第２の実施形態について説明する。
この留置針コネクタ１は、第１の差込口具２０と第２の差込口具２０とを、各漏斗状入口２２を同じ方向に向けた状態で一体化、具体的には外装部材２８を一体成型したことを特徴とするもので、他の構成は、前記した第１の実施形態と共通である。すなわち、前記差込口具２０は、漏斗状入口２２を有する針挿通孔２３を開設した弾性材製の２つの針挿通部材２４と、留置針２を先端部分から差し込む漏斗状差込口２５を２つ有し、各差込口２５に連通する収納空部２６内に前記針挿通部材２４をそれぞれ収納し、収納した針挿通部材２４の入口２２と差込口２５との間に液溜まり空部２７をそれぞれ別個に形成した外装部材２８と、からなり、前記針挿通部材２４は、針挿通孔２３内に挿入された留置針２の針部３１の外周面を弾性収縮力で囲繞する筒状部３２と、該筒状部３２の外側に形成した空隙部３３とを有し、第１の差込口２５に差し込んだ一方の留置針２の流路と第２の差込口２５に差し込んだ他方の留置針２の流路とが連通するように連通部材（チューブ）２１を接続する構成は、前記した第１の実施形態と共通である。共通する構成については説明を省略し、主として異なる構成について説明する。
【００２７】
差込口具２０は、第１の漏斗状差込口２５ａと第２の漏斗状差込口２５ｂを同じ向きに並べて外装部材２８を一体化して構成（一体成型）し、第１の漏斗状差込口２５ａに連通した状態でその奥に第１の針挿通部材２４ａを収納する第１の収納空部２６ａを形成し、第２の漏斗状差込口２５ｂに連通した状態でその奥に第２の針挿通部材２４ｂを収納する第２の収納空部２６ｂを形成し、第１の収納空部２６ａ内に、チューブ２１の一方の端部開口に嵌合した第１針挿通部材２４ａを収納し、第２の収納空部２６ｂ内にチューブ２１の他端開口に嵌合した第２針挿通部材２４ｂを収納して成る。したがって、チューブ２１は、一体成型された外装部材２８の後部からＵ字状に折り返した状態となる。
【００２８】
この留置針コネクタ１は、２本の留置針２を同じ方向から挿入でき、しかも外装部材２８の大型化で持ち易いので、操作性に優れ、オペレーターがミスなく安全に使用することができる。また、部品点数の減少により製造の容易化、合理化を図ることができる。
【００２９】
次に、図５に示す留置針コネクタ１の第３の実施形態について説明する。
この留置針コネクタ１は、第１の漏斗状入口２２と第２の漏斗状入口２２を同じ方向に向けて横長に合体した状態で外装部材２８を一体成型すると共に、一方の留置針２を挿通する針挿通部材２４と他方の留置針２を挿通する針挿通部材２４を一体化（合体化）し、針挿通部材２４の各針挿通孔２３から突出する留置針２の先端部分を連通部材２１の内部空部に収納し、両空部を連通する空部を形成することにより両留置針２の流路を連通させたものである。
【００３０】
この留置針コネクタ１の差込口具２０は、前記一体成型した針挿通部材２４を収納する収納空部２６を外装部材２８に備える。本実施形態における針挿通部材２４は、２本の針挿通孔２３を平行して穿孔するとともに、各針挿通孔２３内に挿入された留置針２の針部３１の外周面を弾性収縮力で囲繞する筒状部３２と、該筒状部３２の外側に形成した空隙部３３とをそれぞれ形成し、全体形状としては第１実施形態における略円柱形の針挿通部材２４を２つ並べた形状、すなわち横断面が長円形となる。したがって、この針挿通部材２４を収納する外装部材２８の収納空部２６も横断面形状が長円形を呈する空部となる。
【００３１】
針挿通部材２４に挿通した２本の留置針２の流路を連通する連通部材２１は、本実施形態においてはブロック状の部材として構成されており、針挿通部材２４の一方の針挿通孔２３を挿通して突出した一方の留置針２の針部３１を収納する第１針収納空部５０ａと、他方の針挿通孔２３を挿通して突出した他方の留置針２の針部３１を収納する第２針収納空部５０ｂとを針挿入方向（図面中の縦方向）に平行に形成し、この第１針収納空部５０ａと第２針収納空部５０ｂとを開口部寄りで横方向に連通する連通空部５１とを内部に形成してある。したがって、図５（ａ）に示すように、この連通部材２１の一端開口内に針挿通部材２４を嵌合し、この状態で外装部材２８の収納空部２６内に収納すると、漏斗状差込口２５と漏斗状入口２２との間に両留置針２で共通の液溜まり空部２７が形成される。
【００３２】
この留置針コネクタ１は、留置針２を同じ方向から挿入でき、しかも外装部材２８と連通部材２１とが一体化されて持ち易い大きさなので、操作性に優れ、オペレーターがミスなく安全に使用することができる。また、部品点数のさらなる減少により一層製造の容易化、合理化を図ることができる。
【図面の簡単な説明】
【００３３】
【図１】留置針コネクタにより動脈側の留置針と静脈側の留置針を接続した状態における血液回路の概略説明図である。
【図２】（ａ）は留置針コネクタの正面図、（ｂ）は留置針コネクタの要部の断面図、（ｃ）は留置針を差し込んだ状態における留置針コネクタの断面図である。
【図３】（ａ）はスタンドの斜視図、（ｂ）は使用状態におけるスタンド付き留置針コネクタの斜視図である。
【図４】（ａ）は留置針コネクタの第２の実施形態の正面図、（ｂ）は要部の断面図、（ｃ）は留置針を挿入した状態における要部の断面図である。
【図５】（ａ）は留置針コネクタの第３の実施形態の要部の断面図、（ｂ）は留置針を挿入した状態における要部の断面図、（ｃ）は留置針コネクタの第３の実施形態の正面図である。
【符号の説明】
【００３４】
１  留置針コネクタ
２  留置針
３  血液回路
４  チューブ
６  ダイアライザー
８  血液ポンプ
９  動脈チャンバー
１１  チューブ
１７  透析装置本体
１８  加圧ポンプ
２０  差込口具
２１  連通部材（チューブ）
２２  漏斗状入口
２３  針挿通孔
２４  針挿通部材
２５  漏斗状差込口
２６  収納空部
２７  液溜まり空部
２８  外装部材
３１  針部
３２  筒状部
３３  空隙部
４０  スタンド
４１  ベース部
４２  起立部
４３  保持部
５０  針収納空部
５１  連通空部
【図１】
2009089841.tif 000003
【図２】
2009089841.tif 000004
【図３】
2009089841.tif 000005
【図４】
2009089841.tif 000006
【図５】
2009089841.tif 000007